(57)【要約】【課題】水分が大量に付着するような状況においても、装着したままで静電容量式タッチパネルなどの操作が可能な手袋を提供する。【解決手段】手袋１は、本体部分１１と、導電性素材１２と、導電性樹脂１３とを備えている。本体部分１１の表面と導電性樹脂１３とは防水性と撥水性を有している。導電性素材１２は、ユーザの親指と人差し指の第１関節よりも先の腹を覆うように配置される。より具体的には、導電性素材１２は、上述した箇所において本体部分１１の内側と外側との間を貫くように縫い付けられている。導電性樹脂１３は、導電性素材１２と本体部分１１との縫い目も含めて、外側から覆うように固着される。手袋１を装着したユーザは、スマートフォンなどの静電容量式タッチパネルに接触する手袋１の所定の箇所が防水性および撥水性を有しているので、例えばスキー場などにおいて手袋１を外すことなく当該スマートフォンの操作をすることができる。【選択図】図１
2013151763.tif 000002
【特許請求の範囲】
【請求項１】
手袋であって、
装着時に少なくともユーザの手の第１指および第２指の各々の腹に接する部分に前記手袋の内側と外側を貫くように配置された導電性素材と、
前記手袋のうち前記導電性素材を除く部分であって撥水性もしくは防水性を有する本体部分と、
前記導電性素材と前記本体部分との間に生じる空隙を塞ぐように前記導電性素材の少なくとも一部および前記本体部分の一部に外側から塗布もしくは接着された導電性樹脂と
を備える手袋。
【請求項２】
前記導電性素材は、導電性繊維であり、前記本体部分に縫い付けられている
請求項１に記載の手袋。
【請求項３】
前記導電性素材は、前記本体部分に開けられた孔を埋めるように配置され前記本体部分に縫い付けられた導電性シートである
請求項１に記載の手袋。
【請求項４】
前記導電性素材は、前記本体部分に開けられた孔を貫くように配置されたリベット形状を有する
請求項１に記載の手袋。
【発明の詳細な説明】
【技術分野】
【０００１】
本発明は、手袋に関し、より詳しくはユーザが手に装着した状態で静電容量式タッチパネルなどを操作することが可能な手袋に関する。
【背景技術】
【０００２】
近年、随所において入力装置としてタッチパネルが用いられるようになってきている。タッチパネルとは、液晶パネルのような表示装置とタッチパッドのような位置入力装置を組み合わせた電子部品であり、画面上の表示を押すことで機器を操作する入力装置である。
【０００３】
タッチパネルは、銀行などの金融機関のＡＴＭ、自動販売機（特に鉄道駅やレストランなどの自動券売機）のような不特定多数が扱う公共性の高いものをはじめ、携帯電話、携帯情報端末（ＰＤＡ）、デジタルオーディオプレーヤー、携帯ゲーム機、コピー機、ファックス、カーナビなど、デジタル情報機器を中心に多方面で使用されている。
【０００４】
タッチパネルは、画面上の操作説明に入力動作が対応するため、直感的に分かり易く操作が簡単になる。
【０００５】
中でも、静電容量式タッチパネルは、現在、多く使われるようになってきている。静電容量式タッチパネルとは、指先と導電膜との間での静電容量の変化を捉えて位置を検出するタッチパネルである。
【０００６】
静電容量式タッチパネルには入力装置と表示装置が一体化されるため装置全体の小型化が可能となる、コストが低く製造しやすい、位置検出がしやすいなど多くの利点があるが、以下のような欠点も有している。
【０００７】
例えば、静電容量式タッチパネルの操作においては、当該タッチパネルとユーザの身体との間で電流が流れる必要があるため、当該ユーザが手袋をしているような場合には、手袋を外して操作を行なう必要があった。
【０００８】
その問題を解決するために、手袋に導電性素材を組み合わせるという手段が提案されている。その例としては、特許文献１乃至６が挙げられる。
【先行技術文献】
【特許文献】
【０００９】
【特許文献１】特開２００８−８１８９６号公報
【特許文献２】実登３１６９２８７号公報
【特許文献３】実登３１６８２１９号公報
【特許文献４】実登３１６７８１７号公報
【特許文献５】実登３１６４３９２号公報
【特許文献６】特開２０１１−１９０５６４号公報
【発明の概要】
【発明が解決しようとする課題】
【００１０】
ところで、例えばスキー場などのような手袋がびしょびしょになってしまうような状況においては、手袋に導電性素材を組み合わせた場合、当該導電性素材が当該手袋の外側と内側を貫いているので水分が染みこむ流路が形成されてしまい、スマートフォンなどの画面を操作することができない。
【００１１】
そこで、本発明は、水分が大量に付着するような状況においても、装着したままで静電容量式タッチパネルなどの操作が可能な手袋を提供することを目的とする。
【課題を解決するための手段】
【００１２】
本発明は、上記の目的に鑑みて想到されたものであり、
手袋であって、
装着時に少なくともユーザの手の第１指および第２指の各々の腹に接する部分に前記手袋の内側と外側を貫くように配置された導電性素材と、
前記手袋のうち前記導電性素材を除く部分であって撥水性もしくは防水性を有する本体部分と、
前記導電性素材と前記本体部分との間に生じる空隙を塞ぐように前記導電性素材の少なくとも一部および前記本体部分の一部に外側から塗布もしくは接着された導電性樹脂と
を備える手袋を提供する（第１の実施態様）。
【００１３】
また、上記の第１の実施態様において、
前記導電性素材は、導電性繊維であり、前記本体部分に縫い付けられている
構成を採用してもよい（第２の実施態様）。
【００１４】
また、上記の第１の実施態様において、
前記導電性素材は、前記本体部分に開けられた孔を埋めるように配置され前記本体部分に縫い付けられた導電性シートである
構成を採用してもよい（第３の実施態様）。
【００１５】
また、上記の第１の実施態様において、
前記導電性素材は、前記本体部分に開けられた孔を貫くように配置されたリベット形状を有する
構成を採用してもよい（第４の実施態様）。
【発明の効果】
【００１６】
本発明の第１の実施態様にかかる手袋によれば、導電性素材の少なくとも一部および本体部分の一部に外側から塗布もしくは接着される導電性樹脂を備えるので、水分が大量に付着するような状況においても、装着したままで静電容量式タッチパネルなどの操作が可能となる。
【００１７】
また、本発明の第２の実施態様にかかる手袋によれば、導電性素材が導電性繊維であり本体部分に縫い付けられているので、簡易な構成により装着したままで静電容量式タッチパネルなどの操作が可能となる。
【００１８】
また、本発明の第３の実施態様にかかる手袋によれば、導電性素材が本体部分に開けられた孔を埋めるように配置され本体部分に縫い付けられた導電性シートなので、当該縫い付け部分のみに導電性樹脂を固着させることにより、高価な導電性樹脂を節約することができてコストダウンにつながる。
【００１９】
また、本発明の第４の実施態様にかかる手袋によれば、導電性素材がリベット形状を有するので、既存の非導電性の手袋を容易に導電性の手袋にすることができるとともに、高価な導電性素材を節約することができる。
【図面の簡単な説明】
【００２０】
【図１】図１は、本発明の一具体例である実施例にかかる手袋を装着した状態のユーザの手のひらの外観を表す正面図である。
【図２】図２は、本発明の一具体例である実施例にかかる手袋を装着した状態のユーザの人差し指を長手方向に平行な平面で切って見た場合の断面図である。
【図３】図３は、本発明の一具体例である別の実施例にかかる手袋を装着した状態のユーザの人差し指を長手方向に平行な平面で切って見た場合の断面図である。
【図４】図４は、本発明の一具体例である別の実施例にかかる手袋を装着した状態のユーザの人差し指を長手方向に平行な平面で切って見た場合の断面図である。
【発明を実施するための形態】
【００２１】
（第１実施例）
以下、本発明の一具体例である実施例について、図面を用いて説明する。
【００２２】
図１は、手袋１を装着した状態のユーザの手のひらの外観を表す正面図である。また、図２は、手袋１を装着した状態のユーザの人差し指を長手方向に平行な平面で切って見た場合の断面図である。
【００２３】
手袋１は、本体部分１１と、導電性素材１２と、導電性樹脂１３とを備えている。
【００２４】
本体部分１１は、ユーザの手のひらと手の甲を覆うとともに、例えば５つの指袋により第１乃至５指を覆う部分である。また、本体部分１１は、通常の手袋と同様に合成皮革や合成繊維などによって作られている。当該合成皮革や合成繊維は、例えばゴアテックス（登録商標）などの防水性素材である。
【００２５】
ここで、「防水性」とは、外部からの水分をシャットアウトし、当該水分を生地の裏側に通過させない性能のことである。また、本体部分１１の表面は撥水性を有しているが、「撥水性」とは水をはじく性質のことである。
【００２６】
導電性素材１２は、例えば導電性繊維である。導電性繊維とは、電気を導く炭素微粒子や金属の粉末などを合成繊維の原料中に混入させて繊維としたものである。導電性繊維は、一般的には、普通の繊維と混ぜて織物にされ衣服にされて、静電気を放出するために用いられている。
【００２７】
ここでは、例えば、株式会社レジーナが取り扱っているスパンボンドなどが、本実施例にかかる導電性素材１２において好適に採用される。
【００２８】
導電性樹脂１３は、電気を通す樹脂（プラスチック）であり、一般的に絶縁性を持つプラスチックに、金属や炭素繊維などの無機導体を練り込んだり、表面に導体の薄膜を形成したりして導電性を持たせた複合材料を指す。ここで、導電性樹脂１３は、当然に防水性および撥水性を有していると考えられる。
【００２９】
導電性樹脂１３は、例えば、シリコン樹脂に銀粉を混入したものなどが好適である。
【００３０】
本実施例においては、図１および図２に示されるように、ユーザが手袋１を装着している際に、ユーザの手の第１指および第２指の各々の腹に接する部分に、手袋１の内側と外側との間を貫くように導電性素材１２が配置される。より具体的には、導電性素材１２は、本体部分１１における上述のユーザの手の第１指および第２指の各々の腹に接する部分に縫い付けられている。このとき、導電性素材１２と本体部分１１との間に空隙が生じることになる。
【００３１】
なお、図１において、導電性素材１２の本体部分１１に対する縫い付けは、縫い付けられた導電性素材１２（および、導電性樹脂１３）の全体の形状が直径１センチメートル程度の円形状に見えるように構成されているが、本発明はこれに限られることなく、縫い付けられた導電性素材１２（および、導電性樹脂１３）の全体の形状が矩形状などの円形状以外の形状に見えるように構成されていてもよい。
【００３２】
また、ここで、指の腹とは、当該指の第１関節より先の部分であって爪が生えている側とは反対側の側面のことである。
【００３３】
そのような構成を有することにより、高価な導電性素材１２の使用を比較的減らすことができるので、好適である。
【００３４】
導電性樹脂１３は、図２に示されるように、導電性素材１２と本体部分１１との縫い目全体を外側から覆うように配置される。より具体的には、当該縫い目全体を覆うように、高温により水飴のような略液状となった導電性樹脂１３を塗布する。そうすれば、導電性樹脂１３が固まることによって、水分が手袋１の外側から内側へと入り込む流路を断つことができる。すなわち、導電性樹脂１３は、導電性素材１２と本体部分１１との間に生じる空隙を塞ぐ役割を果たす。
【００３５】
（第２実施例）
以下、本発明の一具体例である上述の第１実施例とは別の実施例について、図面を用いて説明する。なお、本説明においては、上述の第１実施例とは異なる点を中心に記述し、また同様の構成要素については同様の参照番号を付するものとする。
【００３６】
図３は、手袋２を装着した状態のユーザの人差し指を長手方向に平行な平面で切って見た場合の断面図である。
【００３７】
手袋２は、本体部分２１と、導電性素材２２と、導電性樹脂２３とを備えている。
【００３８】
本実施例においては、導電性素材２２は、本体部分２１に開けられた孔を埋めるように配置され本体部分２１に縫い付けられた導電性シートである。
【００３９】
より具体的には、上述の孔は、本体部分２１の所定部分を切り取ることにより形成される直径１センチメートル程度の円形状を有する孔である。当該所定部分とは、ユーザが手袋２を装着した状態で、ユーザの手の第１指および第２指の各々の腹に接する部分である。
【００４０】
上述の導電性シートは、上述の孔とぴったり合うような形状を有しており、当該孔に嵌め込まれた状態で周囲の部分を本体部分２１に縫い付けられている。
【００４１】
そして、図３に示されるように、導電性樹脂２３は、導電性素材２２と本体部分２１との縫い目も含めて、外側から覆うように配置される。なお、導電性樹脂２３は高温により水飴のような略液体となった状態で導電性素材２２と本体部分２１の一部分に塗布され、その後に固まることによって、水分が手袋２の外側から内側へと入り込む流路を断つことができる。
【００４２】
（第３実施例）
以下、本発明の一具体例である上述の第１実施例および第２実施例とは別の実施例について、図面を用いて説明する。なお、本説明においては、上述の第１実施例および第２実施例とは異なる点を中心に記述し、また同様の構成要素については同様の参照番号を付するものとする。
【００４３】
図４は、手袋３を装着した状態のユーザの人差し指を長手方向に平行な平面で切って見た場合の断面図である。
【００４４】
手袋３は、本体部分３１と、導電性素材３２と、導電性樹脂３３とを備えている。
【００４５】
本実施例においては、導電性素材３２は、本体部分３１に設けられた小孔を貫通するように配置され本体部分３１に固着されたリベット形状を有する部材である。
【００４６】
より具体的には、上述の孔は、本体部分３１の所定部分を尖ったもので貫くことにより形成される直径０．２５センチメートル程度の円形状を有する複数の孔である。当該所定部分とは、ユーザが手袋３を装着した状態で、ユーザの手の第１指および第２指の各々の腹に接する部分である。
【００４７】
導電性素材２２は、オス型のリベットとメス型のリベットとで１セットになっており、例えばオス型のリベットを本体部分３１の外側から、メス型のリベットを本体部分３１の内側から近づけて嵌合させることにより、ユーザの手に装着された手袋３の導電性を担保する。
【００４８】
そして、図４に示されるように、導電性樹脂３３は、導電性素材３２の全部と本体部分３１の一部とを外側および内側から覆うように配置される。なお、導電性樹脂３３は高温により水飴のような略液体となった状態で導電性素材３２の一部分と本体部分３１の一部分に塗布され、その後に固まることによって、水分が手袋３の外側から内側へと入り込む流路を断つことができる。
【００４９】
なお、ここで、上述のリベットと導電性樹脂３３によって構成される厚さ方向の長さが大きくなりすぎると、取回しが悪くなり静電容量式タッチパネルなどの扱いが困難になるので、注意が必要である。
【００５０】
なお、上述のリベットは、例えば、本発明者による別の発明（特開２０１１−１９０５６４号公報）である「手袋用導電性装着具」のようなものを含むものとする。
【００５１】
以上のような構成を有する手袋１、手袋２、および手袋３の使用方法の一例について、簡単に説明する。
【００５２】
ユーザは、スキー場の食堂の屋外で仲間のスキーヤーを待っている。当該ユーザは、静電容量式タッチパネル用の手袋を装着している。仲間がなかなか集まらないので、当該ユーザは自分のスマートフォンで仲間を呼び出そうとする。
【００５３】
ここで、通常であれば、スキーの手袋は水分でびしょびしょになっており静電容量式タッチパネルを操作しようとしても機能しない。したがって、手袋を脱がなければスマートフォンを扱えないはずである。
【００５４】
しかし、手袋１、手袋２、もしくは手袋３を装着したユーザは、スマートフォンの静電容量式タッチパネルに接触する手袋の所定の箇所が防水性および撥水性を有しているので、当該スマートフォンの操作をするのに困難を伴うことはない。
【００５５】
そこで、当該ユーザは、手袋を脱いで寒い思いをすることなく、スマートフォンで仲間を呼び出すことができる。
【００５６】
（変形例）
上述した実施例は、本発明の技術的思想の範囲内で様々に変形が可能である。
【００５７】
まず、手袋１および手袋２の各構成要素を特定する数値、形状、素材、個数、位置などはあくまでも一例であって、特に問題がなければその他の数値、形状、素材、個数、位置などが用いられてもよい。
【００５８】
例えば、本体部分１１はゴアテックス（登録商標）などによって作られているものとしたが、本発明はこれによって限定されるものではない。したがって、特に問題がなければ、本体部分１１は、他のいかなる合成皮革や合成繊維などによって作られていてもよい。また、動物の皮やニットによって作られていてもよい。
【００５９】
また、本体部分１１は防水性および撥水性の両方の性質を有するものとしたが、本発明はこれによって限定されるものではない。したがって、本体部分１１は、防水性もしくは撥水性のいずれか一方の性質を有していてもよい。
【００６０】
また、導電性素材１２は例えば導電性繊維であるものとしたが、本発明はこれによって限定されるものではない。したがって、特に問題がなければ、導電性素材１２は、他のいかなる電気を通す素材であってもよい。なお、第１実施例においては、株式会社レジーナが取り扱っているスパンボンドなどが導電性素材１２として採用されるものとしたが、それも単なるベストモードの一例に過ぎない。
【００６１】
また、導電性樹脂１３は例えばシリコン樹脂に銀粉を混入したものなどがその例として考えられるとしたが、本発明はこれによって限定されるものではない。したがって、特に問題がなければ、導電性樹脂１３は、電気を通すいかなる樹脂であってもよい。
【００６２】
また、第１実施例においては、本体部分１２におけるユーザの手の第１指および第２指の各々の腹に接する部分に導電性素材１２が縫い付けられているものとしたが、本発明はこれによって限定されるものではない。したがって、例えば導電性素材１２が縫い付けられるのは第１指および第２指に限られない。
【００６３】
また、導電性樹脂１３は導電性素材１２と本体部分１１との縫い目全体を外側から覆うように配置されるものとしたが、本発明はこれによって限定されるものではない。したがって、導電性樹脂１３は、上述の縫い目全体を手袋１の内側からそれらの構成要素を覆うように配置されてもよい。そのようにしても、水分の流路を断つことができるからである。さらに、導電性樹脂１３は、上述の外側と内側の両方から上述の構成要素を覆うように配置されてもよい。
【００６４】
また、第２実施例においては、導電性素材２２が本体部分２２におけるユーザの手の第１指および第２指の各々の腹に接する部分に設けられた孔をぴったり埋めるように周囲の本体部分２１に縫い付けられているものとしたが、本発明はこれによって限定されるものではない。したがって、例えば導電性素材２２が縫い付けられるのは第１指および第２指に限られない。
【００６５】
また、上述の円形状を有する孔の直径は１センチメートル程度であるとしたが、本発明はこれによって限定されるものではなく、当該直径は１センチメートル以外の長さであってもよい。また、当該孔は、特に問題がなければ、他のいかなる形状を有していてもよい。
【００６６】
また、導電性樹脂２３は導電性素材２２と本体部分２１との縫い目も含めて外側から覆うように配置されるものとしたが、本発明はこれによって限定されるものではない。したがって、導電性樹脂２３は、上述の縫い目も含めて手袋２の内側からそれらの構成要素を覆うように配置されてもよい。そのようにしても、水分の流路を断つことができるからである。さらに、導電性樹脂２３は、上述の外側と内側の両方から上述の構成要素を覆うように配置されてもよい。
【００６７】
また、導電性樹脂２３は、上述の縫い目も含めて導電性素材２２の全体を覆う場合に限られず、導電性素材２２と本体部分２１との縫い目だけを覆うように手袋２の外側、内側、もしくはその両者に配置されてもよい。したがって、外部から視認すると、導電性樹脂２３がドーナッツ形状を有するような構成が採用されるかもしれない。
【００６８】
また、導電性素材２２を構成する導電性シートは上述の孔とぴったり合うものとしたが、本発明はこれによって限定されるものではない。したがって、導電性シートが上述の孔よりも大きな形状を有し、当該導電性シートにより当該孔を覆うように当該導電性シートを周囲の本体部分２１に縫い付けてもよい。
【００６９】
また、第３実施例においては、リベット形状を有する導電性素材３２が本体部分３１に設けられた直径０．２５センチメートル程度の円形状を有する複数の孔を貫くことにより手袋３の導電性が担保されるものとしたが、本発明はこれによって限定されるものではない。したがって、上述の孔の直径は０．２５センチメートル以外の長さであってもよい。また、当該孔は、特に問題がなければ、他のいかなる形状を有していてもよい。
【００７０】
また、上述の孔は、上述したように尖ったもので貫くことにより形成される場合に限られず、特に問題がなければ、他のいかなる方法によって形成されてもよい。
【００７１】
また、導電性素材３２は、リベット以外のいかなる形状を有する部材によって手袋３の導電性を担保してもよい。
【００７２】
また、導電性樹脂３３は導電性素材３２の全部と本体部分３１の一部とを外側および内側から覆うように配置されるものとしたが、本発明はこれによって限定されるものではない。したがって、導電性樹脂３３は、上述の外側もしくは内側のみからそれらの構成要素を覆うように配置されてもよい。そのようにしても、水分の流路を断つことができるからである。
【００７３】
また、導電性素材３２が設けられるのは第１実施例および第２実施例と同様に第１指および第２指であるものとしたが、本発明はこれによって限定されるものではない。したがって、導電性素材３２が設けられるのは第１指および第２指に限られない。
【００７４】
また、導電性素材１２および導電性素材２２は、本体部分１１および本体部分２１に縫い付けられているものとしたが、本発明はこれによって限定されるものではない。したがって、導電性素材１２および導電性素材２２は、他のいかなる手段によって本体部分１１および本体部分２１に固着されてもよい。
【００７５】
また、手袋１、手袋２、および手袋３における導電性素材１２、導電性素材２２、および導電性素材３２が配置される位置は、第１実施例、第２実施例、および第３実施例に示されるものに限定されることはなく、特に問題がなければ、ユーザの手の少なくともいずれかの指の一部分もしくは複数の部分に対向する位置であればよい。
【００７６】
また、導電性素材１２と導電性樹脂１３、導電性素材２２と導電性樹脂２３、並びに導電性素材３２と導電性樹脂３３は、高温により水飴のような略液体の状態となった導電性樹脂１３、導電性樹脂２３、および導電性樹脂３３を導電性素材１２、導電性素材２２、および導電性素材３２に塗布することにより固着されるものとしたが、本発明はこれによって限定されるものではない。したがって、例えばそれらは導電性接着剤により接着されてもよい。また、特に問題がなければ、他のいかなる手段によってそれらを接着してもよい。
【００７７】
また、第１実施例、第２実施例、および第３実施例の手袋１、手袋２、および手袋３は、親指から小指までの５本の袋状体が設けられているものに限られず、ミトンのような手袋であってもよい。
【００７８】
また、上述した手袋１および手袋２の使用方法はあくまでも一例であって、本発明にかかる手袋は、他のいかなる方法によって使用されてもよい。
【産業上の利用可能性】
【００７９】
本発明の手袋は、例えばスキー場などにおいて手袋が水分でびしょびしょになってしまうようなシチュエーションにおいても、当該手袋を装着したままで静電容量式タッチパネルの操作を行なうことが可能であり、様々な分野における多くのユーザによって使用されることが期待される。したがって、大量に製造・販売され、いわゆる製造業や、小売業などのサービス業において利用可能である。
【符号の説明】
【００８０】
１１…本体部分、１２…導電性素材、１３…導電性樹脂、２１…本体部分、２２…導電性素材、２３…導電性樹脂、３１…本体部分、３２…導電性素材、３３…導電性樹脂
【図１】
2013151763.tif 000003
【図２】
2013151763.tif 000004
【図３】
2013151763.tif 000005
【図４】
2013151763.tif 000006